(57)【要約】【課題】      今まで建設業の釘打ち作業に於いて、釘の入れ物と言えば布製の釘袋であるが、布製である為に雨に濡れると乾きが遅く、加えて中の釘も錆びやすい。土木の現場では土や礫が混入もある。釘を取り出す動作に於いて、手首まで釘袋に入れなければならない。【解決手段】  携帯釘入れは、金属及びそれに準ずる物で、吸水しないので乾きが早く、ボックス内の釘は濡れず、受け皿に出た釘だけが濡れるが水切れが良いので錆びにくい。受け皿は開閉式なので土や礫に混入を防げ、受け皿を閉じることで釘の零れを防げ、さらにコンパクトになり狭い足場などで行動が楽である。カートリッジから降りてくる釘の量は磁石により受け皿入り口で制限され、必要に応じて受皿中央に指で掻き出す。受け皿が浅く、釘の取り出しが容易である。受け皿が浅くても磁石により釘は零れない。【選択図】図１
2011218534.tif 000002
【特許請求の範囲】
【請求項１】
建設業に於いて、金鎚と対を成す布製釘袋を金属等でコンパクト化し、腰帯に提げて使用するものであり、板状のボックスを立て使いとして、その平たい面を体に接し、ボックス内に釘を収め、平たい部分の体に面していない方の底部に細長い開口を設け、その開口から釘を排出するようにし、排出された釘は、ボックスとＬ字状を形成した受け皿に展開するようにしたものであり、ボックス内の釘が必要以上に受け皿に出て来ないように、ボックスの開口付近の受け皿底面に磁石を配して、釘を滞留させ、必要に応じて指先で掻き、掻き出した所にも磁石を配する事で、受け皿の縁から釘が零れるのを防ぎ、釘を使用しない時は受け皿をボックスに沿わせて二つ折りにして釘を封入し、ほぼ完璧に釘の零れを防ぐことの出来る携帯釘入れ。
【請求項２】
ボックスに釘を入れる場合、携帯釘入れを腰帯から外さずにＬ字を形成する携帯釘入れの上部から釘を納めたカートリッッジを挿入、若しくは交換する請求項１記載の携帯釘入れ。
【発明の詳細な説明】
【技術分野】
【０００１】本発明は、建設業に於いて、金鎚を使っての釘打ち作業で釘を収納する為の部材である。
【背景技術】
【０００２】現在、金鎚を使っての釘打ち作業では釘を収納する為に布を縫製した釘袋を使用している。  多種多様ではあるがコンセプトは同一と思われる。
【発明の開示】
【発明が解決しようとする課題】
【０００３】釘袋は布製である。雨が降れば濡れ、中の釘も濡れる。後、天気が良くなっても乾ききらない釘袋と錆びた釘を使用することになる。【０００４】又、金鎚を使っての釘打ち作業では、釘を打つ度に背後の釘袋に手首まで突っ込んで釘を取り出すことになる。【０００５】さらに、狭い所での作業では腰に着けた釘袋が負担となる。特に、土木作業で狭い背後が土や砂礫である事が多く、土や砂礫が釘袋に入るのが通常である。
【課題を解決する為の手段】
【０００６】水濡れに対処する為に布を使わない方法で釘を携帯する入れ物を作る。
【０００７】釘袋の中に手首まで突っ込んで、釘を取り出す動作を無くす為に受皿の上に釘を展開するようにする。
【０００８】土や砂礫が紛れるような状況では釘入れに蓋をする。
【発明の効果】
【０００９】本発明は建設業の釘打ち作業に於いて、作業を迅速、且つ軽快に行う為もので、その効果を説明する。
【００１０】作業に取りかかる時に前回の作業で濡れた釘袋を使用するのは不快であり、錆びた釘も好ましくない。携帯釘入れならば、金属やそれに準ずる材料で作る為に水切れが良い。又、ボックス内は水が入らず、受皿の釘だけが濡れるが、受皿も水切れが良いので然程錆びない。
【００１１】受け皿が浅く釘が取り易い。又、磁石を採用する事で釘の零れも無い。
【００１２】状況に応じて、受け皿を開閉する事で、土や砂礫が受け皿に混入することを防げ、又、蓋を閉る事で、開蓋時より携帯釘入れがスリム化され狭い現場では動き易い。
【発明を実施するための最良の形態】
【００１３】発明を実施するための最良の形態を図で示し、説明する。【００１４】現在、使われている釘袋に変わるもの、或いは併用、釘の大きさに合わせて大小複数の並列もある携帯釘入れは釘袋と同じく腰に下げて使用するものである。【００１５】図１は腰帯に付けたフックを吊り穴１ａｃに掛けて下げた携帯釘入れの側面図で、釘を入れたカートリッジ３ａをボックス１ａに上から挿入したもので、開閉式の後受け皿２ｂは開いて、釘を使用できる状態である。【００１６】図２に於いて、後受け皿２ｂは軸２ａａを支点として閉じたものである。  図３は後受け皿２ｂが開いた状態の正面図である。  図４はカートリッジ３ａの蓋３ｂを開けた図で、長い釘は揃えて３ａに入れ横向きに落ちて行く様にする。尚、カートリッジは複数あれば便利である。【００１７】図５はカートリッジ３ａの側面図である。  図６は蓋３ｂを閉めたもので先端の一部がカバー３ａｂの下に入り込んでいる。  図８はカートリッジ３ａをボックス１ａに挿入した時に蓋３ｂが移動して開口する。図９はその状態の断面で、蓋３ｂの当り３ｂａがボックス１ａの前面の下部の曲げ部に制止され、カートリッジ３ａ本体のみが押し下げられ受け皿方向に開口し、釘が前受け皿２ａに放たれる。【００１８】図１２は、携帯釘入れを上から見た図で前受け皿２ａと後受け皿２ｂの底面に板状の磁石２ａｂ、及び２ｂｂを配し、前磁石２ａｂは上から降下する釘の量を制限、滞留させ、好きな分量だけを指で後受け皿２ｂに掻きだす。掻きだされた釘は後磁石２ｂｂに捕まり零れることは無い。【００１９】又、前受け皿２ａに固定された板バネ２ａｃは、後受け皿２ｂを開く為にある。【００２０】後受皿２ｂを閉じる時は左右の軸２ａａを支点とし、片手で回転させ、取っ手１ｂａの先端のツメ１ｂｄで鍔２ｂａを捕捉し、固定する。【００２１】ツメに依る捕捉はバネ１ｂｂに依るもので、後受け皿２ｂを開く時は取っ手１ｂａをバネ１ｂｂに逆らって指でスライドさせ、ツメの捕捉を解除すると板バネ２ａｃの力で後受け皿２ｂは開く。
【図面の簡単な説明】
【図１】携帯釘入れの側面図で受け皿を開いた状態である。
【図２】同じく側面図で、受け皿を閉じた状態である。
【図３】図１の正面図である。
【図４】カートリッジの蓋を全開したものである。
【図５】カートリッジの側面図である。
【図６】カートリッジの蓋を閉じたものである。
【図７】カートリッジの蓋の側面図である。
【図８】カートリッジの蓋が押し上げられ開口した状態である。
【図９】カートリッジの蓋の開口の説明断面図である。
【図１０】取っ手の構造図
【図１１】取っ手を固定するカバーの取り付け図である。
【図１２】図１の携帯釘入れを上から見た状態である。
【符号の説明】１ａ    ボックス
１ａａ  蝶番
１ａｂ  吊り部
１ａｃ  吊り穴
１ｂａ  取っ手
１ｂｂ  バネ
１ｂｃ  バネ受
１ｂｄ  ツメ
１ｂｅ  取っ手固定板
１ｂｆ  圧接部
１ｂｇ  さがり
２ａ    前受け皿
２ａａ  軸
２ａｂ  前磁石
２ａｃ  板バネ
２ｂ    後受け皿
２ｂａ  鍔
２ｂｂ  後磁石
３ａ    カートリッジ
３ａａ  カバー
３ａｂ  溝
３ｂ    蓋
３ｂａ  当り
【図１】
2011218534.tif 000003
【図２】
2011218534.tif 000004
【図３】
2011218534.tif 000005
【図４】
2011218534.tif 000006
【図５】
2011218534.tif 000007
【図６】
2011218534.tif 000008
【図７】
2011218534.tif 000009
【図８】
2011218534.tif 000010
【図９】
2011218534.tif 000011
【図１０】
2011218534.tif 000012
【図１１】
2011218534.tif 000013
【図１２】
2011218534.tif 000014